【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
複数の色の現像剤像からなる位置ずれ補正用パターンを像担持体上に形成する画像形成手段と、
前記画像形成手段により形成された前記位置ずれ補正用パターンに向けて光を照射し、照射した光の反射光を検出する検出手段と、
前記検出手段により検出された検出結果に基づき、位置ずれ補正を行う制御手段と、を備え、
前記制御手段は、前記画像形成手段により２つの同じ色のカラー現像剤像により１つのブラック現像剤像を挟み込むように、且つ複数の異なる色の現像剤像の間で位置ずれが発生している状態において、前記１つのブラック現像剤像のすべてではなく一部が前記２つの同じ色のカラー現像剤像のいずれかと、前記像担持体の面と直交する方向において重畳するように前記位置ずれ補正用パターンを形成させることを特徴とする画像形成装置。
【請求項２】
前記制御手段は、複数の異なる色の現像剤像の間で位置ずれが発生していない状態において、前記２つの同じ色のカラー現像剤像と前記１つのブラック現像剤像が重畳しないように前記位置ずれ補正用パターンを形成させることを特徴とする請求項１に記載の画像形成装置。
【請求項３】
前記制御手段は、複数の異なる色の現像剤像の間で位置ずれが発生している状態において、前記２つの同じ色のカラー現像剤像のいずれかと前記１つのブラック現像剤像が重畳する幅より、カラー現像剤像に発生する掃き寄せの幅が大きくなるように位置ずれ補正用パターンを形成させることを特徴とする請求項１又は２に記載の画像形成装置。
【請求項４】
前記制御手段は、前記検出手段によって検出された検出結果に基づき、所定の基準色の現像剤像に対する他の色の現像剤像の位置ずれ量を算出し、前記位置ずれ量に基づき、前記位置ずれ補正を行うことを特徴とする請求項１乃至３のいずれか１項に記載の画像形成装置。
【請求項５】
前記制御手段は、所定の基準色の現像剤像の中心位置と他の色の現像剤像の中心位置との差分を２倍した値に応じて前記位置ずれ量を算出することを特徴とする請求項４に記載の画像形成装置。
【請求項６】
前記制御手段は、所定の基準色の現像剤像の中心位置と他の色の現像剤像の中心位置との差分に応じた補正テーブルを用いて前記位置ずれ量を算出することを特徴とする請求項４に記載の画像形成装置。
【請求項７】
前記制御手段は、前記検出手段で検出した検出結果と閾値とを比較することによって、前記カラー現像剤像と前記ブラック現像剤像との境界を判別することを特徴とする請求項１乃至６のいずれか１項に記載の画像形成装置。
【請求項８】
前記制御手段は、第１の色のカラー現像剤像によりブラック現像剤を挟み込むように、第１の色とは異なる第２の色のカラー現像剤像によりブラック現像剤を挟み込まないように、前記位置ずれ補正用パターンを形成させることを特徴とする請求項１乃至７のいずれか１項に記載の画像形成装置。
【請求項９】
前記制御手段は、前記２つの同じ色のカラー現像剤像の間隔と、前記ブラック現像剤像の幅は同一、又は略同一となるように前記位置ずれ補正用パターンを形成させることを特徴とする請求項１乃至８のいずれか１項に記載の画像形成装置。
【請求項１０】
前記制御手段は、前記検出手段によって検出された検出結果に基づき、主走査方向ずれ、又は副走査方向ずれの少なくとも１つのずれを補正することを特徴とする請求項１乃至９のいずれか１項に記載の画像形成装置。
【請求項１１】
前記検出手段は、現像剤像に光を照射する照射手段と、
前記現像剤像からの拡散反射光を受光する受光手段と、を備えることを特徴とする請求項１乃至１０のいずれか１項に記載の画像形成装置。
【請求項１２】
複数の色の現像剤像からなる位置ずれ補正用パターンを像担持体上に形成する画像形成手段と、
前記画像形成手段により形成された前記位置ずれ補正用パターンに向けて光を照射し、照射した光の反射光を検出する検出手段と、
前記検出手段により検出された検出結果に基づき、位置ずれ補正を行う制御手段と、を備え、
前記制御手段は、前記画像形成手段により２つの同じ第１の色のカラー現像剤像により１つのブラック現像剤像を挟み込むように、且つ複数の異なる色の現像剤像の間で位置ずれが発生している状態において、前記１つのブラック現像剤像のすべてではなく一部が前記２つの同じ第１の色のカラー現像剤像のいずれかと、前記像担持体の面と直交する方向において重畳するように、且つ第１の色とは異なる第２の色のカラー現像剤像によりブラック現像剤像を挟み込まないように、前記位置ずれ補正用パターンを形成させ、
前記第１の色のカラー現像剤像を基準色として、基準色に対する他の色の現像剤像の位置ずれ量を算出し、位置ずれ補正を行うことを特徴とする画像形成装置。
【請求項１３】
前記制御手段は、基準色の第１の色のカラー現像剤像の中心位置とブラック現像剤像の中心位置との差分を２倍した値に応じて前記位置ずれ量を算出することを特徴とする請求項１２に記載の画像形成装置。
【請求項１４】
前記制御手段は、基準色の第１の色のカラー現像剤像の中心位置とブラック現像剤像の中心位置との差分に応じた補正テーブルを用いて前記位置ずれ量を算出することを特徴とする請求項１２に記載の画像形成装置。
【請求項１５】
前記制御手段は、複数の異なる色の現像剤像の間で位置ずれが発生していない状態において、前記２つの同じ第１の色のカラー現像剤像と前記１つのブラック現像剤像が重畳しないように前記位置ずれ補正用パターンを形成させることを特徴とする請求項１２乃至１４のいずれか１項に記載の画像形成装置。
【請求項１６】
前記制御手段は、複数の異なる色の現像剤像の間で位置ずれが発生している状態において、前記２つの同じ第１の色のカラー現像剤像のいずれかと前記１つのブラック現像剤像が重畳する幅より、前記第１の色のカラー現像剤像に発生する掃き寄せの幅が大きくなるように前記位置ずれ補正用パターンを形成させることを特徴とする請求項１２乃至１５のいずれか１項に記載の画像形成装置。
【請求項１７】
前記制御手段は、前記検出手段で検出した検出結果と閾値とを比較することによって、前記第１の色のカラー現像剤像と前記ブラック現像剤像との境界を判別することを特徴とする請求項１２乃至１６のいずれか１項に記載の画像形成装置。
【請求項１８】
前記制御手段は、前記２つの同じ第１の色のカラー現像剤像の間隔と、前記ブラック現像剤像の幅は同一、又は略同一となるように前記位置ずれ補正用パターンを形成させることを特徴とする請求項１２乃至１７のいずれか１項に記載の画像形成装置。
【請求項１９】
前記制御手段は、前記検出手段によって検出された検出結果に基づき、主走査方向ずれ、又は副走査方向ずれの少なくとも１つのずれを補正することを特徴とする請求項１２乃至１８のいずれか１項に記載の画像形成装置。
【請求項２０】
前記検出手段は、現像剤像に光を照射する照射手段と、
前記現像剤像からの拡散反射光を受光する受光手段と、を備えることを特徴とする請求項１２乃至１９のいずれか１項に記載の画像形成装置。
【請求項２１】
前記カラー現像剤像のうち、副走査方向の下流側の端部である第１領域の濃度は、他の第２領域の濃度よりも濃いことを特徴とする請求項１又は１２に記載の画像形成装置。
【請求項２２】
前記制御手段は、前記ブラック現像剤像を基準色とし、前記カラー現像剤像を測定色とすることを特徴とする請求項１又は１２に記載の画像形成装置。
【請求項２３】
前記像担持体の面と直交する方向において、前記２つの同じ色のカラー現像剤像のいずれかの上側に前記ブラック現像剤像は重畳することを特徴とする請求項１又は１２に記載の画像形成装置。
【請求項２４】
複数の色の現像剤像からなる位置ずれ補正用パターンを形成する画像形成手段と、
前記画像形成手段により形成された前記位置ずれ補正用パターンに向けて光を照射し、照射した光の反射光を検出する検出手段と、
前記検出手段により検出された検出結果に基づき、位置ずれ補正を行う制御手段と、を備え、
前記位置ずれ補正用パターンは、少なくとも２つの同じ色のカラー現像剤像と１つのブラック現像剤像からなり、
前記制御手段は、前記画像形成手段により前記２つの同じ色のカラー現像剤像の間に前記１つのブラック現像剤像はあり、且つ前記２つの同じ色のカラー現像剤像と前記１つのブラック現像剤像が重畳しないように、且つ前記２つの同じ色のカラー現像剤像と前記１つのブラック現像剤像が隣接するように、前記位置ずれ補正用パターンを形成させることを特徴とする画像形成装置。
【手続補正２】
【補正対象書類名】明細書
【補正対象項目名】００１２
【補正方法】変更
【補正の内容】
【００１２】
上記目的を達成するために本発明は、複数の色の現像剤像からなる位置ずれ補正用パターンを像担持体上に形成する画像形成手段と、前記画像形成手段により形成された前記位置ずれ補正用パターンに向けて光を照射し、照射した光の反射光を検出する検出手段と、前記検出手段により検出された検出結果に基づき、位置ずれ補正を行う制御手段と、を備え、前記制御手段は、前記画像形成手段により２つの同じ色のカラー現像剤像により１つのブラック現像剤像を挟み込むように、且つ複数の異なる色の現像剤像の間で位置ずれが発生している状態において、前記１つのブラック現像剤像のすべてではなく一部が前記２つの同じ色のカラー現像剤像のいずれかと、前記像担持体の面と直交する方向において重畳するように前記位置ずれ補正用パターンを形成させることを特徴とする。
【手続補正３】
【補正対象書類名】明細書
【補正対象項目名】００３９
【補正方法】変更
【補正の内容】
【００３９】
まず、先端側のイエロー現像剤パターンが１ドットから３ドットまでの幅３ドットのパターン、ブラック現像剤パターンが４ドットから７ドットまでの幅４ドットのパターン、後端側のイエロー現像剤パターンが８ドットから１０ドットまでの幅３ドットのパターンとして、それぞれ形成されているとする。この状況において、（ｉ）色ずれが発生していない状態、（ｉｉ）ブラック現像剤パターンと後端側に形成されたカラー現像剤パターンが重畳している状態、（ｉｉｉ）ブラック現像剤パターンと先端側に形成されたカラー現像剤パターンが重畳している状態、のそれぞれについて、具体的に位置ずれを求める方法を説明する。
【手続補正４】
【補正対象書類名】明細書
【補正対象項目名】００４０
【補正方法】変更
【補正の内容】
【００４０】
（ｉ）色ずれが発生していない状態
先の式（１）より、イエロー現像剤パターンの中心位置を求める。先端側のイエロー現像剤パターンの先端位置検出タイミングｔｙ１１＝０、後端側のイエロー現像剤パターンの後端位置検出タイミングｔｙ１２＝１０であるので、
イエロー現像剤パターンの中心位置ｔｙ１＝（ｔｙ１１＋ｔｙ１２）／２＝（０＋１０）／２＝５
となり、ｔｙ１＝５となる。同様に、ｔｙ２＝５となる。
【手続補正５】
【補正対象書類名】明細書
【補正対象項目名】００４２
【補正方法】変更
【補正の内容】
【００４２】
この結果を先の式（７）に代入して、
イエロー現像剤パターンの副走査位置ずれ時間ＰＤｔ＿ｙｋ＝（（ｔｙｋ１−ｔｙ１）＊２＋（ｔｙｋ２−ｔｙ２）＊２）／２＝（（５−５）＊２＋（５−５）＊２）／２＝０
となり、色ずれが発生していないことが算出できる。
（ｉｉ）ブラック現像剤パターンと後端側に形成されたカラー現像剤パターンが重畳している状態
ここでは、先端側のイエロー現像剤パターンが１ドットから３ドットまでの幅３ドットのパターン、ブラック現像剤パターンが５ドットから８ドットまでの幅４ドットのパターン、後端側のイエロー現像剤パターンが８ドットから１０ドットまでの幅３ドットのパターンとして、ブラック現像剤パターンと下流側のイエロー現像剤パターンが１ドット重畳されている状態について説明する。
【手続補正６】
【補正対象書類名】明細書
【補正対象項目名】００４３
【補正方法】変更
【補正の内容】
【００４３】
先の式（１）より、イエロー現像剤パターンの中心位置を求める。先端側のイエロー現像剤パターンの先端位置検出タイミングｔｙ１１＝０、後端側のイエロー現像剤パターンの後端位置検出タイミングｔｙ１２＝１０であるので、
イエロー現像剤パターンの中心位置ｔｙ１＝（ｔｙ１１＋ｔｙ１２）／２＝（０＋１０）／２＝５
となり、ｔｙ１＝５となる。同様に、ｔｙ２＝５となる。
【手続補正７】
【補正対象書類名】明細書
【補正対象項目名】００４５
【補正方法】変更
【補正の内容】
【００４５】
この結果を先の式（７）に代入して、
イエロー現像剤パターンの副走査位置ずれ時間ＰＤｔ＿ｙｋ＝（（ｔｙｋ１−ｔｙ１）＊２＋（ｔｙｋ２−ｔｙ２）＊２）／２＝（（５．５−５）＊２＋（５．５−５）＊２）／２＝１
となり、差分を２倍することで、ブラック現像剤パターンのずれが１ドット発生していることを算出することができる。
（ｉｉｉ）ブラック現像剤パターンと先端側に形成されたカラー現像剤パターンが重畳している状態
ここでは、先端側のイエロー現像剤パターンが１ドットから３ドットまでの幅３ドットのパターン、ブラック現像剤パターンが３ドットから６ドットまでの幅４ドットのパターン、後端側のイエロー現像剤パターンが８ドットから１０ドットまでの幅３ドットのパターンとして、ブラック現像剤パターンと上流側のイエロー現像剤パターンが１ドット重畳されている状態について説明する。
【手続補正８】
【補正対象書類名】明細書
【補正対象項目名】００４６
【補正方法】変更
【補正の内容】
【００４６】
先の式（１）より、イエロー現像剤パターンの中心位置を求める。先端側のイエロー現像剤パターンの先端位置検出タイミングｔｙ１１＝０、後端側のイエロー現像剤パターンの後端位置検出タイミングｔｙ１２＝１０であるので、
イエロー現像剤パターンの中心位置ｔｙ１＝（ｔｙ１１＋ｔｙ１２）／２＝（０＋１０）／２＝５
となり、ｔｙ１＝５となる。同様に、ｔｙ２＝５となる。